【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
遊技球の入賞口に開閉羽根を設けてなる可変入賞装置を備え、前記開閉羽根は遊技球が入賞しやすい開放状態と遊技球が入賞しないまたは入賞しにくい閉止状態との間で変化が可能であり、所定条件が成立したときに前記開閉羽根を前記開放状態とし、前記入賞口に遊技球が入賞したときに遊技者に所定の遊技価値を付与する遊技機であって、
前記可変入賞装置は、
前記開閉羽根を開閉するためのプランジャを有する電気的駆動部と、
前記プランジャに連係して駆動力を前記開閉羽根に伝達する伝達部材と、
前記開閉羽根、前記電気的駆動部、及び前記伝達部材を支持する支持部材と、
前記伝達部材を、前記開閉羽根を開放状態とする開放姿勢と前記開閉羽根を閉止状態とする閉止姿勢との間で前記支持部材に対して回動可能に支持するための回動軸と、
前記伝達部材を回動可能に支持する回動位置と前記伝達部材の回動が規制される規制位置との間で、前記回動軸を前記プランジャの動作方向に対して相対移動可能に支持する軸受部と、
を備え、
前記電気的駆動部の第１の動作に基づく前記プランジャの動作に応じて、前記回動位置に位置する前記回動軸を中心として、前記伝達部材が第１の方向に回転して前記開放姿勢から前記閉止姿勢となるとともに、該閉止姿勢の状態で前記回動軸が前記回動位置から前記規制位置まで移動し、
前記電気的駆動部の第２の動作に基づく前記プランジャの動作に応じて、前記回動軸が前記規制位置から前記回動位置まで移動し、該回動位置の前記回動軸を中心として、前記伝達部材が第２の方向に回転して前記閉止姿勢から前記開放姿勢となるように構成され、
前記支持部材には、前記回動軸が前記規制位置に位置した状態において、前記伝達部材に当接して該伝達部材の前記第２の方向への回転を規制する回転規制部が設けられている、
ことを特徴とする遊技機。
【請求項２】
前記伝達部材はガイド軸を有し、
前記支持部材は前記ガイド軸が挿入されるガイド溝を有し、
前記ガイド溝は、前記回動軸が前記回動位置に位置している状態において前記ガイド軸が摺接して前記伝達部材を前記第１の方向に回転させる円弧状の湾曲面と、前記回動軸が前記規制位置に位置している状態における前記伝達部材の前記第１の方向への回転を前記ガイド軸との当接により規制する前記回転規制部としての規制面と、を有する、
ことを特徴とする請求項１に記載の遊技機。
【請求項３】
前記規制面は、前記軸受部に対して略平行に設けられている、
ことを特徴とする請求項２に記載の遊技機。
【請求項４】
前記支持部材は、筒状に形成され、内部に前記伝達部材及び前記プランジャを収容して支持する、
ことを特徴とする請求項１〜３のいずれかに記載の遊技機。
【請求項５】
前記開閉羽根は、一対の開閉片からなり、
前記伝達部材は、前記一対の開閉片それぞれに連係する一対の開閉羽根連係アームと、該一対の開閉羽根連係アームに架設されたプランジャ連係軸と、を有しており、
前記プランジャは、当該プランジャを中心とした両側位置に等間隔で形成された一対の連係部を介して前記プランジャ連係軸に連係されている、
ことを特徴とする請求項１〜４のいずれかに記載の遊技機。
【手続補正２】
【補正対象書類名】明細書
【補正対象項目名】０００９
【補正方法】変更
【補正の内容】
【０００９】
本発明の請求項２に記載の遊技機は、請求項１に記載の遊技機であって、
前記伝達部材（３２０）はガイド軸（案内ピン３２６）を有し、
前記支持部材は前記ガイド軸が挿入されるガイド溝（案内溝３１４）を有し、
前記ガイド溝は、前記回動軸（３２４）が前記回動位置に位置している状態において前記ガイド軸が摺接して前記伝達部材を前記第１の方向（連係アーム３２１ａ，３２１ｂの先端が下方に移動する方向（例えば図４５（ａ）中反時計回り））に回転させる円弧状の湾曲面（上円弧面３１５ａ）と、前記回動軸が前記規制位置に位置している状態における前記伝達部材の前記第１の方向への回転を前記ガイド軸との当接により規制する前記回転規制部としての規制面（上直線面３１６ａ）と、を有する、
ことを特徴としている。
この特徴によれば、ガイド軸とガイド溝とにより、伝達部材が回動及びプランジャの動作方向に移動自在にガイドされるため、伝達部材の回動とプランジャの動作方向への移動、及びこれら回動とプランジャの動作方向への移動との切り替えが確実に行われる。
【手続補正３】
【補正対象書類名】明細書
【補正対象項目名】００１０
【補正方法】変更
【補正の内容】
【００１０】
本発明の請求項３に記載の遊技機は、請求項２に記載の遊技機であって、
前記規制面（上直線面３１６ａ）は、前記軸受部（軸受長孔３１３）に対して略平行に設けられている、
ことを特徴としている。
この特徴によれば、回動軸が回動位置と規制位置との間で移動する場合に、軸受部に対して平行に移動案内されることで、伝達部材とプランジャとの位置関係が変わることがないため、回動軸の回動位置と規制位置との間での移動の際にプランジャと伝達部材との連係が解除されることを防止できる。
【手続補正４】
【補正対象書類名】明細書
【補正対象項目名】００１１
【補正方法】変更
【補正の内容】
【００１１】
本発明の請求項４に記載の遊技機は、請求項１〜３のいずれかに記載の遊技機であって、
前記支持部材（３０３）は、筒状に形成され、内部に前記伝達部材（３２０）及び前記プランジャ（５９ａ）を収容して支持する、
ことを特徴としている。
この特徴によれば、伝達部品が筒状の支持部材により覆われるため、伝達部材が針金等の不正部材により強制的に回動されるといった不正行為を防止できる。
【手続補正５】
【補正対象書類名】明細書
【補正対象項目名】００１３
【補正方法】変更
【補正の内容】
【００１３】
本発明の手段１に記載の遊技機は、請求項１〜５のいずれかに記載の遊技機であって、
前記可変入賞装置（普通可変入賞装置５８）に遊技球（遊技球）が入賞したことにもとづいて、または遊技球が入賞したことにもとづく抽選の結果にもとづいて遊技球が進入し難いまたは進入しない第１の状態から遊技球が進入しやすい第２の状態となる始動動作を行う特別可変入賞装置（第１特別可変入賞球装置６６）と、
前記特別可変入賞装置に設けられている特別領域（第１特定進入口８９，第２特定進入口９１）に遊技球が入賞したことにもとづいて遊技状態を遊技者にとって有利な特定遊技状態（大当たり遊技状態）に移行させるとともに、遊技の進行を制御する遊技制御手段（遊技制御用マイクロコンピュータ９９）と、
前記可変入賞装置に入賞した遊技球を検出して検出信号を出力する始動検出手段（始動口スイッチ６０）と、
前記可変入賞装置における前記開閉羽根（３０１ａ，３０１ｂ）の開閉状態を判定する開閉判定手段（遊技制御用マイクロコンピュータ９９におけるステップＳ１５６０）と、
前記開閉判定手段によって前記可変入賞装置における前記開閉羽根が閉状態であると判定されているとき（ステップＳ１５６０のＮ）に、前記始動検出手段によって遊技球の入賞が検出されたことにもとづいて（ステップＳ１５６３のＮ）、異常報知を実行する異常報知手段（遊技制御用マイクロコンピュータ９９におけるステップＳ１５６４）と、
を備える、
ことを特徴としている。
この特徴によれば、遊技制御手段が、可変入賞装置の開閉状態を判定する開閉判定手段と、開閉判定手段によって可変入賞装置が閉状態であると判定されているときに、検出手段によって遊技球の入賞が検出されたことにもとづいて、異常報知を実行する異常報知手段を含むので、可変入賞装置に対する不正行為によって入賞異常が生じたことを報知することができ、その結果、可変入賞装置に対する不正行為を確実に防止することができる。
【手続補正６】
【補正対象書類名】明細書
【補正対象項目名】００１４
【補正方法】変更
【補正の内容】
【００１４】
本発明の手段２に記載の遊技機は、手段１に記載の遊技機であって、
前記特別可変入賞装置に設けられた複数の領域のうち特定領域に進入した遊技球を検出する特定検出手段（第１特定球検出器１２１ａや第２特定球検出器１２１ｂ）と、
前記特別可変入賞装置に設けられ、該特別可変入賞装置に進入した遊技球を前記特定領域へと誘導可能に動作する可動部材（回転体７９や振分部材８３）と、
前記可動部材の動作を制御する可動部材制御手段（ＣＰＵ１１２がステップＳ２４５〜Ｓ２４８、Ｓ２５３及びＳ２５４、Ｓ２５７及びＳ２５８、Ｓ２６４、Ｓ５４１〜Ｓ５４４、Ｓ５４９〜Ｓ５５２、Ｓ５５８の処理や、ステップＳ２４のモータ初期位置復帰制御処理を実行する部分）と、
前記特別可変入賞装置に進入した遊技球を検出する進入検出手段（第１カウントスイッチ１０６）と、
前記特別可変入賞装置から排出される遊技球を検出する排出検出手段（排出球検出器１２２）と、
前記進入検出手段による検出と前記排出検出手段による検出とに基づき、前記特別可変入賞装置内に遊技球が存在するか否かを判定する遊技球存否判定手段（ＣＰＵ１１２がステップＳ２６２の処理を実行する部分）と、
を備え、
前記可動部材制御手段は、
前記始動検出手段により遊技球が検出されたことに基づいて、所定時間が経過するまで、前記可動部材を遊技球が前記特定領域に進入しやすい第１の動作パターン（第１の振分動作パターンや第１の回動パターン）で動作させ、該所定時間が経過した後に、前記可動部材を遊技球が前記特定領域に進入しにくい第２の動作パターン（第２の振分動作パターンや第２の回動パターン）で動作させる始動時動作制御手段段（ＣＰＵ１１２がステップＳ２２８にてセットした小当り制御パターンＫＰ１〜ＫＰ６に基づき、ステップＳ２４５〜Ｓ２４８、Ｓ２５３及びＳ２５４、Ｓ２５７及びＳ２５８の処理を実行する部分）と、
前記遊技球存否判定手段により前記特別可変入賞装置内に遊技球が存在しないと判定されたことに基づいて、前記可動部材の動作を停止させる可動部材停止制御手段（ステップＳ２６２におけるＹｅｓの判定に対応してＣＰＵ１１２がステップＳ２６４及びＳ２６５の処理を実行する部分）と、
を含む、
ことを特徴としている。
この特徴によれば、可動部材制御手段は、始動検出手段により遊技球が検出されたことに基づいて、所定時間が経過するまで、可動部材を遊技球が特定領域に進入しやすい第１の動作パターンで動作させ、所定時間が経過した後に、可動部材を遊技球が特定領域に進入しにくい第２の動作パターンで動作させる始動時動作制御手段を含むように構成されている。これにより、大入賞口が始動態様で第１の状態と第２の状態とに変化する場合でも、遊技球が特定領域に進入しやすい期間と、特定領域に進入しにくい期間を設けることができ、可変入賞装置による遊技に変化を持たせて遊技の興趣を向上させることができる。
また、可動部材制御手段は、媒体存否判定手段により特別可変入賞装置内に遊技球が存在しないと判定されたことに基づいて、可動部材の動作を停止させる可動部材停止制御手段を含むように構成されている。これにより、可動部材を常に動作させる場合に比べて消費電力を低減させることができる。
【手続補正７】
【補正対象書類名】明細書
【補正対象項目名】００１５
【補正方法】変更
【補正の内容】
【００１５】
本発明の手段３に記載の遊技機は、手段１に記載の遊技機であって、
前記特別可変入賞装置に設けられた複数の領域のうち特定領域に進入した遊技球を検出する特定検出手段（第１特定球検出器１２１ａや第２特定球検出器１２１ｂ）と、
前記特別可変入賞装置に設けられ、該特別可変入賞装置に進入した遊技球を前記特定領域へと誘導可能に所定の初期位置から所定の動作態様で動作する可動部材（回転体７９や振分部材８３）と、
前記始動検出手段により遊技球が検出されたことに基づいて、前記可動部材の動作を制御する可動部材制御手段（ＣＰＵ１１２がステップＳ２４５〜Ｓ２４８、Ｓ２５３及びＳ２５４、Ｓ２５７及びＳ２５８、Ｓ２６４、Ｓ５４１〜Ｓ５４４、Ｓ５４９〜Ｓ５５２、Ｓ５５８の処理や、ステップＳ２４のモータ初期位置復帰制御処理を実行する部分）と、
前記特別可変入賞装置に進入した遊技球を検出する進入検出手段（第１カウントスイッチ１０６）と、
前記特別可変入賞装置から排出される遊技球を検出する排出検出手段（排出球検出器１２２）と、
前記進入検出手段による検出と前記排出検出手段による検出とに基づき、前記特別可変入賞装置内に遊技球が存在するか否かを判定する遊技球存否判定手段（ＣＰＵ１１２がステップＳ２６２の処理を実行する部分）と、
を備え、
前記可動部材制御手段は、
前記可動部材を動作させた後、前記遊技球存否判定手段により前記特別可変入賞装置内に遊技球が存在しないと判定されたことに基づいて、前記可動部材を前記所定の初期位置に戻す制御を実行する初期位置復帰制御手段（ステップＳ２６６、Ｓ６０１、Ｓ６２２の設定に基づき、ＣＰＵ１１２がステップＳ２４のモータ初期位置復帰制御処理を実行する部分や、ステップＳ２６４、Ｓ５５８の処理を実行する部分）を含み、
前記始動検出手段により遊技球が検出されたことに基づいて、所定の動作待機時間が経過した後に、前記始動動作を開始させる始動時動作制御手段（ＣＰＵ１１２がステップＳ２１１での決定に基づき、ステップＳ１１１の特別図柄可変表示処理やステップＳ１１２の特別図柄停止処理を実行した後に、ステップＳ２２８にてセットした小当り制御パターンＫＰ１〜ＫＰ４に基づき、ステップＳ２４２におけるＹｅｓの判定に対応してステップＳ２４３の処理を実行する部分）を備え、
前記所定の動作待機時間を、前記初期位置復帰制御手段によって前記可動部材が前記所定の初期位置に戻るための所要時間よりも長くした、
ことを特徴としている。
この特徴によれば、可動部材制御手段は、可動部材を動作させた後、遊技球存否判定手段により特別可変入賞装置内に遊技球が存在しないと判定されたことに基づいて、可動部材を所定の初期位置に戻す制御を実行する初期位置復帰制御手段を含むように構成されている。始動時動作制御手段は、始動検出手段により遊技球が検出されたことに基づいて、所定の動作待機時間が経過した後に、始動動作を開始させる。そして、所定の動作待機時間を、初期位置復帰制御手段によって可動部材が所定の初期位置に戻るための所要時間よりも長くした。これにより、始動動作で大入賞口が第１の状態となって特別可変入賞装置に遊技球が進入可能となる時点で、常に可動部材を所定の初期位置から動作させることができる。
また、初期位置復帰制御手段によって可動部材を所定の初期位置に戻して停止させることができ、可動部材を常に動作させる場合に比べて消費電力を低減させることができる。